(57)【要約】【課題】    幼児にとって出入りしやすく、２人用にして子供用施設にとって経済的であり、力の弱い者でも容易かつ確実に折りたたみおよび展開操作が可能であり、また折りたたみおよび展開のいずれの場合にも置き台や物書き台として使用でき、かつ収納スペースをとれるようにする。【解決手段】  ベッドステッド１を箱形に形成する。ベッドステッド１を仕切って二人分の寝具ａ、ａを敷くスペース２ａ、２ｂを形成する。収納ボックス３の前方に開口部３０を形成する。開口部３０にベッドステッド１の前方部１ａを回動自在に設けて収納ボックス３の背面板３３とベッドステッド１の前側板１０との間に収納スペース１１を形成する。収納スペース１１上に蓋板１２を開閉自在に設けて蓋板前端１２ａを常時はベッドステッド１の前側板１０上に置く。ベッドステッド１の後側板１３に手掛け部１４、１４を設ける。【選択図】    図１
2005245898.tif 000002
【特許請求の範囲】
【請求項１】
ベッドステッドを箱型に形成し、前記ベッドステッドを仕切って二人分の寝具を敷くスペースを形成し、また収納ボックスの前方に開口部を形成し、前記開口部に前記ベッドステッドの前方部を回動自在に設けて前記収納ボックスの背面板と前記ベッドステッドの前側板との間に収納スペースを形成し、前記収納スペース上に蓋板を開閉自在に設けて前記蓋板前端を常時は前記ベッドステッドの前方上に置き、前記ベッドステッドの後側板に手掛け部を設けることを特徴とする幼児用折りたたみベッド。
【請求項２】
収納ボックスの左右側板の前端縁が末広状であることを特徴とする請求項１の幼児用折りたたみベッド。
【請求項３】
収納ボックスの開口部にベッドステッドの前方部を回動軸を介して回動自在に接続し、前記回動軸の前方に常時は伸長方向に付勢するダンパの一端を回動自在に軸着し、前記ダンパの他端を前記収納ボックスの左右側板の内向面で、かつ前記ベッドステッドより上方に回動自在に軸着することを特徴とする請求項１の幼児用折りたたみベッド。
【請求項４】
ダンパがガススプリングであることを特徴とする請求項３の幼児用折りたたみベッド。
【請求項５】
ベッドステッドの底板の下面にホワイトボードを取付けることを特徴とする請求項１の幼児用折りたたみベッド。
【請求項６】
ベッドステッドの後側板の下端に切欠部を設けて前記後側板の左右に接床足を形成することを特徴とする請求項１の幼児用折りたたみベッド。
【発明の詳細な説明】
【技術分野】
【０００１】
本発明は幼稚園、保育所等の子供用施設において、幼児の昼寝等のために使用し、不使用時には折りたたんで他の用途に使えるベッドに関する。
【背景技術】
【０００２】
従来よりこの種のベッドとしてはベッドステッドの床板から支持脚を折りたたみ自在に設けた一人用のもの、いわゆる高床式のシングルベッドが知られている。
【０００３】
また図４で示すようにベッドの長尺方向に敷いたマットａや箱型のベッドステッド１を複数に分割し、マットａを折りたたみ自在に設けるとともにベッドステッド１を摺動自在に設け、コンパクト化して椅子と兼用する１人用で、かつ家庭用のベッドが知られている。
【０００４】
【特許文献１】特開２００３−２５９９３９号公報
【発明の開示】
【発明が解決しようとする課題】
【０００５】
従来前例は折りたたみ自在な支持脚分、床板が高くなり、保育児や幼稚園の３才児等には不向きであり、しかも支持脚の折りたたみ機構が複雑で高価につき、また前・後例ともシングルベッドであり、前記子供用施設のように多人数が使用する施設では不経済である。
【０００６】
また従来後例は椅子以外に収容ケースとしても利用できるが、ベッドステッドに車輪（図示略）を付けたり、これを案内するためのレール（図示略）を設けたりしなければならず、機構が複雑で高価につくものである。
【０００７】
本発明は前記従来前例および後例の前記欠点を解消することを課題とし、またベッドステッドの折りたたみ作業時にかかる作業者への力の負担を軽減し、また展開時にはスムーズに下降できるようにして、安全であり、さらにベッドの不使用時にはお絵書き等の書き遊びをすることができ、またベッドステッドの開閉時に手を掛けやすいようにすることを課題とする。
【課題を解決するための手段】
【０００８】
請求項１の本発明はベッドステッドを箱型に形成し、前記ベッドステッドを仕切って二人分の寝具を敷くスペースを形成し、また収納ボックスの前方に開口部を形成し、前記開口部に前記ベッドステッドの前方部を回動自在に設けて前記収納ボックスの背面板と前記ベッドステッドの前側板との間に収納スペースを形成し、前記収納スペース上に蓋板を開閉自在に設けて前記蓋板前端を常時は前記ベッドステッドの前方上に置き、前記ベッドステッドの後側板に手掛け部を設けることを特徴とするものである。
【０００９】
請求項２の本発明は収納ボックスの左右側板の前端縁が末広状であることを特徴とするものである。
【００１０】
請求項３の本発明は収納ボックスの開口部にベッドステッドの前方部を回動軸を介して回動自在に接続し、前記回動軸の前方に常時は伸長方向に付勢するダンパの一端を回動自在に軸着し、前記ダンパの他端を前記収納ボックスの左右側板の内向面で、かつ前記ベッドステッドより上方に回動自在に軸着することを特徴とするものである。
【００１１】
請求項４の本発明はダンパがガススプリングであることを特徴とするものである。
【００１２】
請求項５の本発明はベッドステッドの底板の下面にホワイトボードを取付けることを特徴とするものである。
【００１３】
請求項６の本発明はベッドステッドの後側板の下端に切欠部を設けて前記後側板の左右に接床足を形成することを特徴とするものである。
【発明の効果】
【００１４】
請求項１の本発明によれば、ベッドステッドを低く形成することができ、幼児にとって出入りしやすく、２人用なので数多い幼児を収容する施設にとって経済的で、かつベッドステッドの開閉作業を容易にすることができ、また開閉時のいずれでも天板を利用して置き台や物書き台にすることができるとともに収納スペースをとることができ、かつ収納スペースの蓋板をベッドステッドの開閉とともに開閉することができ、しかも手掛けを介して確実に展開することができ、また構造が簡単で安価に製造することができる。
【００１５】
請求項２の本発明によれば、請求項１の効果に加え、ベッドステッドを後傾させて背面板で支えても安定性が良いものである。
【００１６】
請求項３の本発明によれば、請求項１の効果に加え、ベッドステッドの折りたたみ状態時に、常時は伸長方向に付勢するダンパによりベッドステッドを背面板に押しつける作用が働き、より安全に収納することができ、またベッドステッドを展開する際に緩衝作用が生じ、女性や力の弱い保育士、教諭でもスムーズかつ安全に操作することができる。
【００１７】
請求項４の本発明によれば、請求項３の効果に加え、構造が簡単で製造しやすく、しかも堅牢であり、前記ベッドステッドの背面板への押し付けおよび展開時の緩衝作用をより良好にすることができる。
【００１８】
請求項５の本発明によれば、請求項１の効果に加え、ベッドステッドの折りたたみ時にお絵書き等の書き遊びをすることができる。
【００１９】
請求項６の本発明によれば、ベッドステッドを折りたたむ際に切欠部に手を掛けることにより容易かつ確実に操作することができる。
【発明を実施するための最良の形態】
【００２０】
木製のベッドステッド１を箱形に形成する。具体的には細長状の左右側板１８、１８および後側板１３に底板１５を上げ底状に取り付け、左右側板１８、１８の各前端を半円状に形成し、前記半円の中心に穿った軸挿通孔１８ａよりやや後方で、しかも底板１５に前側板１０を取り付ける。後側板１３の下端に切欠部１６を設けて後側板１３の左右に接床足１７、１７を形成し、後側板１３の左右背面に細長凹部からなる手掛け部１４、１４を形成し、底板１５上の中央前後方向に仕切板１９を取付けて二人分の寝具ａ、ａ、例えばマットレス、ふとんを敷くスペース２ａ、２ｂを形成し、底板１５の下面にホワイトボード６を取付ける。
【００２１】
木製の収納ボックス３の前方に開口部３０を形成する。具体的には接床底板３２の後端に背面板３３を垂直に起立して取り付け、接床底板３２の左右端に左右側板３１、３１を垂直に起立して取付け、左右側板３１の前端縁３１′を末広状に傾斜させて形成し、左右側板３１、３１および背面板３３の上端縁に天板３４を水平に取付け、左右側板３１、３１における前記挿通孔１８ａの対応位置に挿通孔３１ａ、３１ａを穿設し、左右側板３１、３１の上方位置にハンガー若しくは被服掛け用の吊下げ棒３６を水平に掛設する。
【００２２】
収納ボックス３の開口部３０にベッドステッド１の前方部１ａを挿入し、挿通孔３１ａ、１８ａに回動軸４を貫挿し、かつ固定して収納ボックス３にベッドステッド１を回動自在に設ける。
【００２３】
収納ボックス３の背面板３３とベッドステッド１の前側板１０との間に収納スペース１１を形成し、収納スペース１１上に蝶番１９を介して蓋板１２を回動自在に設けて蓋板１２の前端を常時は前側板１０上に置く。
【００２４】
回動軸４前方にダンパ５、具体的にはガススプリング５０のロッド５０ａ先端を前方回動軸４′を介して回動自在に軸着し、ガススプリング５０のシリンダー部５０ｂの先端を左右側板３１、３１の内向面で、かつベッドステッド１より上方位置に回動自在に軸着する。このガススプリング５０は周知のもので、常時はロッド５０ａが伸長する方向に付勢されている。
【００２５】
次に本発明の幼児用折りたたみベッドの使用法および作用について説明すれば、ベッドステッド１の展開接床時には図１で示すようにスペース２ａ、２ｂ内に寝具ａ、ａとしてのマットレスが嵌入され、蓋板１２の上に枕ｂ、ｂが置かれている。このとき収納スペース１１内に小間物等、所望のものを入れておいても、また吊下げ管３６に係止したフックやハンガー（図示省略）を介して被服等を吊下げておいてもよい。またガススプリング５０の圧力はベッドステッド１を折りたたむ方向にかかっているが、ベッドステッド１の重量の方が遥かに大きく、ベッドステッド１は静止している。
【００２６】
次に切欠部１６に両手を掛け、図３で示すようにベッドステッド１を回動軸４を中心に折りたたみ方向に持上げると、ガススプリング５０の圧力が梃子機能を発揮し、ベッドステッド１は上方へ容易に回動し、ベッドステッド１の後端縁が背面板３３に当接し、ベッドステッド１が後傾して収納ボックス３内に収納される。さらに手を離してもガススプリング５０の圧力によりベッドステッド１の後端縁は背面板３３に圧接され、ベッドステッド１が前方に倒れてくる危険性が全くない。なおベッドステッド１が回動して行く際に蓋板１２は左右側板１８、１８に押し上げられ、蝶番１９を中心に回動して開蓋する。このようにベッドステッド１が収納ボックス３内に収納されると、図２で示すようにホワイトボード６が前面に表出し、幼児はこれにお絵書き等の遊びをすることができ、またベッドステッド１の展開時および折りたたみ時のいずれにおいても天板３４上を置き台、物書き台として利用することができる。
【００２７】
これとは逆にベッドステッド１を展開するには、手掛け部１４、１４に指を掛け、ベッドステッド１を水平軸４を中心に反対方向に回動して接床する。この展開時にはガススプリング５０が緩衝機能を発揮し、ベッドステッド１がその重量により勢いよく回動して接床時に床に大きな衝撃を与えることがなく、スムーズに回動し、安全である。
【図面の簡単な説明】
【００２８】
【図１】本発明の展開状態を示す斜視図である。
【図２】同上の折りたたみ状態を示す斜視図である。
【図３】本発明を構成するベッドステッドを折りたたむ若しくは展開する途中を示す側断面図である。
【図４】従来例の斜視図である。
【符号の説明】
【００２９】
１    ベッドステッド
１ａ  前方部
２ａ  スペース
２ｂ  スペース
３    収納ボックス
４    回動軸
４′  前方回動軸
５    ダンパ  
５ａ  一端
５ｂ  他端
６    ホワイトボード
１０    前側板
１１    収納スペース  
１２    蓋板
１２ａ  蓋板前端
１３    後側板
１４    手掛け部
１５    底板
１６    切欠部
１７    接床足
３０    開口部
３１    左右側板
３１′  前端縁
３３    背面板
５０    ガススプリング
ａ    寝具
【図１】
2005245898.tif 000003
【図２】
2005245898.tif 000004
【図３】
2005245898.tif 000005
【図４】
2005245898.tif 000006